(57)【要約】      （修正有）【課題】高齢者や病人等の弱者がテーブルの椅子に着席しても、椅子を前に引く、後ろに戻す、立ち上がるという動作は容易ではない。容易に回動出来ると共に、前後移動できる椅子を得る。【解決手段】複数の不動脚１を有する脚部と、この脚部に載設された台枠２と、この台枠２の上部に座部を備えた椅子において、前記台枠２上に設けられた一対のレール３と、この一対のレール３上に設けられ、両端にローラベアリング４を有する複数のシャフト５と、このシャフト５と一体形成された回転板６と、この回転板６の上部に設けられた座部とを備え、この座部の回動、及び前後移動を可能にする。【選択図】図２
0003139480.tif 000002
【実用新案登録請求の範囲】
【請求項１】
複数の不動脚を有する脚部と、この脚部に載設された台枠と、この台枠の上部に座部を備えた椅子において、前記台枠上に設けられた一対のレールと、この一対のレール上に設けられ、両端にローラベアリングを有する複数のシャフトと、このシャフトと一体形成された回転板と、この回転板の上部に設けられた座部とを備え、この座部の回動、及び前後移動を可能としたことを特徴とする椅子。
【請求項２】
上記シャフト及びレールの材質を植物材にしたことを特徴とする請求項１記載の椅子。
【請求項３】
上記複数の不動脚の後脚下部近傍に、床面から若干浮かせた複数のコロを設けたことを特徴とする請求項１または２記載の椅子。
【考案の詳細な説明】
【技術分野】
【０００１】  本考案は床上に載置して使用される椅子に関するものである。
【背景技術】
【０００２】  従来の回動又は前後移動の出来る椅子は、前後移動するために脚のしたにキャスターが取り付けられているものが広く流通している。また、不動脚の上部に回転自在なベース体を設け、その上部にローラとローラの上をスライド移動するレールと、その上部に座部を設け、座部の前部にキャスターの付いた可動脚を設けたものがある。（例えば、特許文献１参照）
【特許文献１】  特開２００１−８７７３号公報
【考案の開示】
【考案が解決しようとする課題】
【０００３】  上述のような従来の椅子は、脚の下にキャスターが取り付けられているため、高齢者や病人等、足腰が弱い人が椅子に掴まったり、着座しようとしたり、着座から立ち上がろうとしたりした時、不意に椅子が動いて転倒する危険があった。又、前記特許文献１記載の椅子は座部の回動及び前後移動が可能であるが、重量に難点がある。すなわちベース体、不動脚、可動脚、アジャスター、レール、ローラ、シャフト等がその構造から見て金属で形成されているので椅子の重量は重いと言う問題点があった。又、不動脚の上の数個のアジャスターは、椅子を動かす度にどれか接地しないものが出てくると思われる。又、可動脚にあるキャスターは全脚にキャスターが付いて初めて自由に動くもので、座部の前後移動の係止が働いているときは、例えば右回転していたものを左回転に変えようとする時、キャスターの取り付け芯とローラ芯との間には若干の差があり、キャスターの向きが反転するとき人の重量がかかっているとキャスターに大きな抵抗が発生して座部の反転が重くなると言う問題点があった。又、椅子を移動させるとき、背もたれを持ち上げて不動脚を浮かして、可動脚で移動するわけであるが椅子の重量が大きく手にかかって、楽に移動できないという問題点があった。
本考案は、上述のような問題点を解決するために考案されたもので、容易に回動できると共に前後移動の可能な椅子を得ることを目的とする。
【課題を解決するための手段】
【０００４】  この考案の椅子は、複数の不動脚を有する脚部と、この脚部に載設された台枠と、この台枠の上部に座部を備えた椅子において、前記台枠上に設けられた一対のレールと、この一対のレール上に設けられ、両端にローラベアリングが設けられた複数のシャフトと、このシャフトと一体形成された回転板と、この回転板の上部に設けられた座部とを備え、この座部の回動、及び前後移動を可能にしたものである。【０００５】  また、上記シャフト及びレールの材質を植物材にしたものである。【０００６】  さらに、上記複数の不動脚の後脚下部近傍に床面から数ミリ浮かせた複数のコロを設けたものである。
【考案の効果】
【０００７】  この考案は、以上説明したように構成されているので、以下のような効果を奏する。
この考案の椅子は、複数の不動脚を有する脚部と、この脚部に載設された台枠と、この台枠の上部に座部を備えた椅子において、前記台枠上に設けられた一対のレールと、この一対のレール上に設けられ、両端にローラベアリングが設けられた複数のシャフトと、このシャフトと一体形成された回転板の上部に座部を設けているので、座部の反転、回動、及び前後移動が容易になる。【０００８】  また、シャフト及びレールの材質を植物材、例えばシャフトの材質を竹の圧縮集積材にし、レールの材質を堅木材にしたので、金属材と比べて重量を大きく軽減できる。なお、強度の面に関しても十分安心できる。【０００９】  さらに、２本の後脚下部近傍の床面から数ミリ浮かせたコロを設けているので、背もたれを持って椅子を後ろ下方へ押し下げるとコロが接地して椅子の移動を容易にしている。
【考案を実施するための最良の形態】
【００１０】  図１は、本考案の一実施の形態を示す椅子の斜視図である。図２は、本考案の椅子の座部を取り外した下部構造の拡大斜視図である。図３は、レール部周辺の拡大側面図である。図４は図３のＡ−Ａ腺に沿う拡大断面図である。図５は、ローラベアリング及びシャフトの拡大分解斜視図である。図６は、座部の底面拡大斜視図である。図７は、本考案の椅子の後脚下部近傍に取り付けられたコロの拡大斜視図である。図８は、本考案の椅子の座部を後ろ位置に移動した状態の側面図である。図９は、本考案の椅子の座部を前位置に移動した状態の側面図である。図１０は、本考案の椅子の正面図である。図１１は、本考案の椅子の座部を右方向へ９０度回転した状態の正面図である。【００１１】  図１、図２において、１００は椅子であり、４本の不動脚１の上に台枠２が設けられ、この台枠２の上に、一対のレール３、ローラベアリング４、シャフト５、回転板６、座部７等が載置されて構成されている。【００１２】  台枠２は、図２に示す様に四角形に形成され、台枠２の四角は４本の不動脚１に支えられている。レール３は、図３に示す様に植物材、例えば厚板の堅木材で形成され、前端勾配部３Ａと後端勾配部３Ｂに若干勾配をつけている。また、レール３は、図４に示す様に断面がＬ字型に形成され、一対のレール３の水平面３Ｃが互いに内向きになるように載設されている。【００１３】  次にシャフト５は、図５に示す様に、植物材、例えば竹の圧縮集積材で形成され、このシャフト５の両端にローラベアリング４が圧入されている。また、シャフト５は、図２に示す様に２本のシャフト５と回転板６のベースプレート６Ａが、複数のボルト８で一体化されている。なお、シャフト５は合成樹脂で形成しても良い。【００１４】  次に、図２に示す様に、回転板６と一体化されているシャフト５のローラベアリング４をレール３上に載置して、レール３からローラベアリング４がはずれないように、レール３上部にレールカバー９が設けられ、前部には前面板１０、後部には後面板１１が設けられている。なお、レールカバー９は板厚３ミリ位の合成樹脂かアルミの板が好ましい。【００１５】  次に、回転板６のトッププレート６Ｂの複数のボルト穴１２（図２に示す）と座部７の底面のボルト穴１３（図６に示す）がボルト（図示せず）で一体化されている。【００１６】  そして、図７，図８に示す様に、２本の後脚１Ａ下部の近傍に、椅子１００の移動時に利用するコロ１４が、床面から数ミリ浮かせて設けられている。そして、図８，図９に示す様に、座部７が左右に回動したときに、座部７を軽く固定するための磁石１５が座部７の底面の両横に設けられ、レール３の外面前部の両横に鉄片１６が設けられている。そして、座部７には、図１０，図１１に示す様にひじ木１７、および背もたれ１８が設けられ、椅子１００が構成されている。なお、本考案では、座部７の回動を軽く固定するのに磁石１５を使用しているが、ドアーキャッチ、あるいは面ファスナーを使用しても良い。【００１７】  次に、本考案の椅子の使用方法を、図３、図７〜図１１に基ずき説明する。
先ず、図８に示す様に、座部７が後ろ位置の状態でテーブル（図示せず）と椅子１００との間に人が入れるくらいの間隔を確保して、椅子１００を床上に載置する。この時、後部のローラベアリング４は、レール３の後端勾配部３Ｂ（図３に示す）に落ち込んで、後面板１１に当たって停止しており、この状態で前後方向に対して軽く固定されている。【００１８】  上記の状態で人が椅子１００の座部７に座し、ひじ木１７を持って足で前方へ引けば，固定が解けて座部７はスムースにレール３上を前位置（図９に示す）へ移動し、テーブルに接近する。前方へ移動したとき、前部のローラベアリング４はレール３の前端勾配部３Ａ（図３に示す）に落ち込み、前面板１０に当たって停止しており、この状態で前後方向に対して軽く固定されている。【００１９】  人がテーブルから離れて立ち上がるときは、座部７を足で後ろ位置まで戻せばよい。この場合、前方へ引くときも、後方へ戻すときも、足の力だけでは動きにくいときは、手でテーブルを持って座部７を前方へ引く、後方へ戻すというように、手と足の両方を使えば、よりたやすく前後移動することが出来る。【００２０】  座す、立つという動作に人手が必要で座部７が横向きの方が便利なときは、左右へ９０度回動することが出来る。座部７が後ろ位置の状態（図８に示す）すなわち座部７がテーブルから離れている状態で前後方向に対して軽く固定されている時、例えば右方向へ９０度回転させると、図１１に示す状態となり、磁石１５が鉄片１６を吸着して円周方向に対して軽く固定される。この状態で座し、座部７を正面方向へ回転させると、磁石１５と鉄片１６との吸着が離れ、固定が解かれて正面（図１０に示す）まで軽く回転する。【００２１】  不動脚１は不動であり、椅子１００が急に動いて人が転倒することを防いでいる。
又、動きを固定するための操作レバーを使用しておらず操作をたやすくしている。また、座部７が前後左右に移動するため、その度に重心が移動するが重心は４本の不動脚１の内側にあり、椅子１００が転倒することはない。【００２２】  さらに、椅子１００を掃除等で移動させなければならないときは、背もたれ１７を持って背もたれ１７を後ろ下方向へ押し下げて、椅子１００を斜めにすると、２本の後脚１Ａの下部のコロ１４（図７，図８に示す）が接地して４本の不動脚１は床から離れ、椅子１００の重量はコロ１４に移動するため、前後のバランスをとるだけで手に重量はかからないので椅子１００をたやすく移動することが出来る。
【図面の簡単な説明】
【００２３】
【図１】  本考案の一実施の形態を示す椅子の斜視図である。
【図２】  本考案の椅子の座部を取り外した下部構造の拡大斜視図である。
【図３】  本考案のレール部周辺の拡大側面図である。
【図４】  図３のＡ−Ａ線に沿う拡大断面図である。
【図５】  本考案のローラベアリング、及びシャフトの拡大分解斜視図である。
【図６】  本考案の座部底面の拡大斜視図である。
【図７】  本考案の椅子の後脚下部近傍に取り付けられたコロの拡大斜視図である。
【図８】  本考案の椅子の座部を後ろ位置に移動した状態の側面図である。
【図９】  本考案の椅子の座部を前位置に移動した状態の側面図である。
【図１０】  本考案の椅子の正面図である。
【図１１】  本考案の椅子の座部を右方向へ９０度回転した状態の正面図である。
【符号の説明】
【００２４】１    不動脚
１Ａ  後脚
２    台枠
３    レール
３Ａ  レール前端勾配部
３Ｂ  レール後端勾配部
３Ｃ  レール水平面
４    ローラベアリング
５    シャフト
６    回転板
６Ａ  回転板ベースプレート
６Ｂ  回転板トッププレート
７    座部
８    ボルト
９    レールカバー
１０  前面板
１１  後面板
１２  ボルト穴
１３  ボルト穴
１４  コロ
１５  磁石
１６  鉄片
１７  ひじ木
１８  背もたれ
【図１】
0003139480.tif 000003
【図２】
0003139480.tif 000004
【図３】
0003139480.tif 000005
【図４】
0003139480.tif 000006
【図５】
0003139480.tif 000007
【図６】
0003139480.tif 000008
【図７】
0003139480.tif 000009
【図８】
0003139480.tif 000010
【図９】
0003139480.tif 000011
【図１０】
0003139480.tif 000012
【図１１】
0003139480.tif 000013